(57)【要約】【課題】    本発明はスポーツ用の膝当てを開示した。【解決手段】スポーツ用の膝当ては、膝当て及び前記膝当てに設置される護身装置を含み、前記膝当ての中には上下に貫通する保護チャンバが設置され、前記護身装置が前記膝当てに設置される前固定ブロックを含む；本発明を付けてランニングする時、太ももとすねとの間の角度の循環変化を電気エネルギーに転化し、光源に電力を提供し、夜ランニングの時にライトが暗いため、他の車や通行人がランニングする人に気づきにくく、危険の状況が発生することを防止し、それと同時に悪人に襲われる時、力を入れて膝を曲げて金属針を突き出させて護身し、使用者の安全を確保する。【選択図】図１
2020146417.tif 000002
【特許請求の範囲】
【請求項１】
膝当て及び前記膝当てに設置される護身装置を含み、前記膝当ての中には上下に貫通する保護チャンバが設置され、前記護身装置が前記膝当てに設置される前固定ブロックを含み、前記前固定ブロックの中には連通チャンバが設置され、前記前固定ブロックの中には一端が前記連通チャンバに連通し、もう一端が外部空間に連通する収納溝が設置され、前記収納溝の中には護身金属針がスライドできるように密封し設置され、前記護身金属針の片側端面と前記収納溝の片側内壁との間が復帰ばねにより接続され、前記膝当ての中には押出チャンバが設置され、前記押出チャンバの内壁には固定ロッドが固定的に設置され、前記固定ロッドの一端には第一押出バッグが固定的に設置され、前記第一押出バッグの中には第一油チャンバが設置され、前記第一油チャンバと前記連通チャンバとが第一抜き孔により連通され、前記第一油チャンバと、前記第一抜き孔と、前記連通チャンバとの中には作動油がいっぱいあり、これにより力を入れて膝を曲げる時、太ももとすねが前記第一押出バッグを押し、作動油により伝動して前記護身金属針を押し出し、護身の作用を発揮し、前記膝当ての中には照明装置が設置され、前記照明装置の中には発電機が設置され、前記膝当ての下側にはすね包み部が固定的に設置され、前記すね包み部の中にはマッサージ装置が設置され、前記発電機が発電すると同時に前記照明装置及び前記マッサージ装置に電力を提供することを特徴とするスポーツ用の膝当て。
【請求項２】
前記照明装置は前記第一押出バッグの上下端面に固定的に設置される上下対称の第二押出バッグを含み、前記第二押出バッグが弾性材料により作られ、前記第二押出バッグの中には第二油チャンバが設置され、前記膝当ての前後端面には側固定ブロックが対称的に固定的に設置され、後側の前記側固定ブロックの中には発電チャンバが設置され、前記発電チャンバの中にはピストンシリンダが固定的に設置され、前記ピストンシリンダの中には左へ開口したピストンチャンバが設置され、前記ピストンチャンバと前記第二油チャンバとの間が第二抜き孔により連通され、前記ピストンチャンバの中にはピストンがスライドできるように設置され、前記ピストンの右側端面と前記ピストンチャンバの右壁との間がばねにより接続され、前記発電機の上側には伝動軸が動力が伝達できるように接続され、前記伝動軸の上端には回転盤が固定的に設置され、前記回転盤の上端面と前記ピストンの左端面との間にはヒンジロッドがヒンジにより接続され、前記第二抜き孔と、前記ピストンチャンバと、前記第二油チャンバとの中には作動油がいっぱいあり、前記前固定ブロックの左端面には前記発電機と電気的に接続される前ランプが固定的に設置され、前記膝当ての後端面には前記発電機と電気的に接続される後ランプが固定的に設置され、これにより前記第二押出バッグを押す時、前記発電機が前記前ランプと、前記後ランプとに電力を提供し、これにより照明を行うことを特徴とする請求項１に記載のスポーツ用の膝当て。
【請求項３】
前記マッサージ装置は前記すね包み部の中に設置されるモータチャンバを含み、前記モータチャンバの頂壁には前記発電機と電気的に接続されるモータが固定的に設置され、前記モータの下端には動力軸が動力が伝達できるように接続され、前記動力軸には複数組の偏心輪が固定的に設置され、これにより前記モータが起動される時に、前記動力軸により前記偏心輪を連動させて回転させ、前記偏心輪がすねを押し、これによりマッサージの効果を奏することを特徴とする請求項１に記載のスポーツ用の膝当て。
【発明の詳細な説明】
【技術分野】
【０００１】
本発明は膝当て技術分野を取り上げて、具体的にはスポーツ用の膝当てである。
【背景技術】
【０００２】
ランニングする時、膝当てを使用して膝を保護する必要があり、夜ランニングの時、ライトが暗いので、行き来する車や通行人が時々ランニングする人に気づきにくく、危険な状況が発生しやすく、また夜ランニングの時に悪人に襲われる可能性もあり、従来の膝当ての機能が単一であり、上記の難題を解決することができなく、使用者の安全を保証できなく、上記の欠点に対して、スポーツ用の膝当てを提出した。
【先行技術文献】
【特許文献】
【０００３】
【特許文献１】中国特許出願公開第105433466号明細書
【発明の概要】
【発明が解決しようとする課題】
【０００４】
上記技術の不足について、本発明はスポーツ用の膝当てを提案し、従来技術における上記欠点を解消することを目的とする。
【課題を解決するための手段】
【０００５】
本発明はスポーツ用の膝当てであり、膝当て及び前記膝当てに設置される護身装置を含み、前記膝当ての中には上下に貫通する保護チャンバが設置され、前記護身装置が前記膝当てに設置される前固定ブロックを含み、前記前固定ブロックの中には連通チャンバが設置され、前記前固定ブロックの中には一端が前記連通チャンバに連通し、もう一端が外部空間に連通する収納溝が設置され、前記収納溝の中には護身金属針がスライドできるように密封し設置され、前記護身金属針の片側端面と前記収納溝の片側内壁との間が復帰ばねにより接続され、前記膝当ての中には押出チャンバが設置され、前記押出チャンバの内壁には固定ロッドが固定的に設置され、前記固定ロッドの一端には第一押出バッグが固定的に設置され、前記第一押出バッグの中には第一油チャンバが設置され、前記第一油チャンバと前記連通チャンバとが第一抜き孔により連通され、前記第一油チャンバと、前記第一抜き孔と、前記連通チャンバとの中には作動油がいっぱいあり、これにより力を入れて膝を曲げる時、太ももとすねが前記第一押出バッグを押し、作動油により伝動して前記護身金属針を押し出し、護身の作用を発揮し、前記膝当ての中には照明装置が設置され、前記照明装置の中には発電機が設置され、前記膝当ての下側にはすね包み部が固定的に設置され、前記すね包み部の中にはマッサージ装置が設置され、前記発電機が発電すると同時に前記照明装置及び前記マッサージ装置に電力を提供する。
【０００６】
好ましくは、前記照明装置は前記第一押出バッグの上下端面に固定的に設置される上下対称の第二押出バッグを含み、前記第二押出バッグが弾性材料により作られ、前記第二押出バッグの中には第二油チャンバが設置され、前記膝当ての前後端面には側固定ブロックが対称的に固定的に設置され、後側の前記側固定ブロックの中には発電チャンバが設置され、前記発電チャンバの中にはピストンシリンダが固定的に設置され、前記ピストンシリンダの中には左へ開口したピストンチャンバが設置され、前記ピストンチャンバと前記第二油チャンバとの間が第二抜き孔により連通され、前記ピストンチャンバの中にはピストンがスライドできるように設置され、前記ピストンの右側端面と前記ピストンチャンバの右壁との間がばねにより接続され、前記発電機の上側には伝動軸が動力が伝達できるように接続され、前記伝動軸の上端には回転盤が固定的に設置され、前記回転盤の上端面と前記ピストンの左端面との間にはヒンジロッドがヒンジにより接続され、前記第二抜き孔と、前記ピストンチャンバと、前記第二油チャンバとの中には作動油がいっぱいあり、前記前固定ブロックの左端面には前記発電機と電気的に接続される前ランプが固定的に設置され、前記膝当ての後端面には前記発電機と電気的に接続される後ランプが固定的に設置され、これにより前記第二押出バッグを押す時、前記発電機が前記前ランプと、前記後ランプとに電力を提供し、これにより照明を行う。
【０００７】
好ましくは、前記マッサージ装置は前記すね包み部の中に設置されるモータチャンバを含み、前記モータチャンバの頂壁には前記発電機と電気的に接続されるモータが固定的に設置され、前記モータの下端には動力軸が動力が伝達できるように接続され、前記動力軸には複数組の偏心輪が固定的に設置され、これにより前記モータが起動される時に、前記動力軸により前記偏心輪を連動させて回転させ、前記偏心輪がすねを押し、これによりマッサージの効果を奏する。
【発明の効果】
【０００８】
以上により、本発明は構成が簡単で、操作が便利で、本発明を付けてランニングする時、太ももとすねとの間の角度の循環変化を電気エネルギーに転化し、光源に電力を提供し、夜ランニングの時にライトが暗いため、他の車や通行人がランニングする人に気づきにくく、危険の状況が発生することを防止し、それと同時に悪人に襲われる時、力を入れて膝を曲げて金属針を突き出させて護身し、使用者の安全を確保する。
【図面の簡単な説明】
【０００９】
以下に図１〜５を交えて本発明について詳しく説明する。便利に叙述するために、現在は後文に出る方位を下記の通りに規定する：後文に出る上下左右前後方向は図１本体の投影関係の上下左右前後方向と一致する。
【００１０】
【図１】図１は本発明のスポーツ用の膝当ての全体構成模式図である；
【図２】図２は図１の平面図である；
【図３】図３は図２の中のＡ−Ａにおける構成模式図である；
【図４】図４は図３の中のＢ−Ｂにおける構成模式図である；
【図５】図５は図１の中のＣにおける構成模式図である。
【発明を実施するための形態】
【００１１】
以下は付図説明と実施例を合わせて、本発明を更に詳しく説明し、本発明の方式は以下の実施例を含むが、これのみに限定されるものではない。  
【００１２】
図１〜５に示すように、本発明装置のスポーツ用の膝当ては、膝当て１０及び前記膝当て１０に設置される護身装置１００を含み、前記膝当て１０の中には上下に貫通する保護チャンバ２８が設置され、前記護身装置１００が前記膝当て１０に設置される前固定ブロック１１を含み、前記前固定ブロック１１の中には連通チャンバ１７が設置され、前記前固定ブロック１１の中には一端が前記連通チャンバ１７に連通し、もう一端が外部空間に連通する収納溝１３が設置され、前記収納溝１３の中には護身金属針１４がスライドできるように密封し設置され、前記護身金属針１４の片側端面と前記収納溝１３の片側内壁との間が復帰ばね１６により接続され、前記膝当て１０の中には押出チャンバ２７が設置され、前記押出チャンバ２７の内壁には固定ロッド２１が固定的に設置され、前記固定ロッド２１の一端には第一押出バッグ２２が固定的に設置され、前記第一押出バッグ２２の中には第一油チャンバ２３が設置され、前記第一油チャンバ２３と前記連通チャンバ１７とが第一抜き孔１５により連通され、前記第一油チャンバ２３と、前記第一抜き孔１５と、前記連通チャンバ１７との中には作動油がいっぱいあり、これにより力を入れて膝を曲げる時、太ももとすねが前記第一押出バッグ２２を押し、作動油により伝動して前記護身金属針１４を押し出し、護身の作用を発揮し、前記膝当て１０の中には照明装置２００が設置され、前記照明装置２００の中には発電機３８が設置され、前記膝当て１０の下側にはすね包み部１８が固定的に設置され、前記すね包み部１８の中にはマッサージ装置３００が設置され、前記発電機３８が発電すると同時に前記照明装置２００及び前記マッサージ装置３００に電力を提供する。
【００１３】
有益的には、前記照明装置２００は前記第一押出バッグ２２の上下端面に固定的に設置される上下対称の第二押出バッグ２６を含み、前記第二押出バッグ２６が弾性材料により作られ、前記第二押出バッグ２６の中には第二油チャンバ２５が設置され、前記膝当て１０の前後端面には側固定ブロック２９が対称的に固定的に設置され、後側の前記側固定ブロック２９の中には発電チャンバ３６が設置され、前記発電チャンバ３６の中にはピストンシリンダ３１が固定的に設置され、前記ピストンシリンダ３１の中には左へ開口したピストンチャンバ３３が設置され、前記ピストンチャンバ３３と前記第二油チャンバ２５との間が第二抜き孔２４により連通され、前記ピストンチャンバ３３の中にはピストン３４がスライドできるように設置され、前記ピストン３４の右側端面と前記ピストンチャンバ３３の右壁との間がばね３２により接続され、前記発電機３８の上側には伝動軸３７が動力が伝達できるように接続され、前記伝動軸３７の上端には回転盤３５が固定的に設置され、前記回転盤３５の上端面と前記ピストン３４の左端面との間にはヒンジロッド３０がヒンジにより接続され、前記第二抜き孔２４と、前記ピストンチャンバ３３と、前記第二油チャンバ２５との中には作動油がいっぱいあり、前記前固定ブロック１１の左端面には前記発電機３８と電気的に接続される前ランプ１２が固定的に設置され、前記膝当て１０の後端面には前記発電機３８と電気的に接続される後ランプ１９が固定的に設置され、これにより前記第二押出バッグ２６を押す時、前記発電機３８が前記前ランプ１２と、前記後ランプ１９とに電力を提供し、これにより照明を行う。
【００１４】
有益的には、前記マッサージ装置３００は前記すね包み部１８の中に設置されるモータチャンバ４０を含み、前記モータチャンバ４０の頂壁には前記発電機３８と電気的に接続されるモータ３９が固定的に設置され、前記モータ３９の下端には動力軸４１が動力が伝達できるように接続され、前記動力軸４１には複数組の偏心輪４２が固定的に設置され、これにより前記モータ３９が起動される時に、前記動力軸４１により前記偏心輪４２を連動させて回転させ、前記偏心輪４２がすねを押し、これによりマッサージの効果を奏する。
【００１５】
前記のスポーツ用の膝当ての実現方法は、以下のステップを含む：
【００１６】
着用する時、前記すね包み部１８をすねのところに着用し、前記前固定ブロック１１を膝のところに着用し、また前記前固定ブロック１１を使用者の前側に向かせ、ランニングする時、太ももとすねとの間の角度が循環変化し、角度が小さくなる時、前記第二押出バッグ２６を押し、前記第二油チャンバ２５の中の作動油が前記第二抜き孔２４を通して前記ピストンチャンバ３３の中に入って前記ピストン３４を右へ押し動かし、角度が大きくなる時、前記ピストン３４が前記ばね３２の作用のもとで復帰し、これにより前記ヒンジロッド３０が前記回転盤３５を連動させて回転させ、前記回転盤３５が前記伝動軸３７を連動させて回転させて前記発電機３８を発電させ、前記発電機３８が前記前ランプ１２と、前記後ランプ１９とに電力を提供し、これにより前記前ランプ１２と、前記後ランプ１９とが発光して照明を行い、前記発電機３８が前記モータ３９に電力を提供し、これにより動力軸４１が回転し、且つ前記偏心輪４２を連動させて回転させ、前記偏心輪４２がすねを押し、これによりマッサージの効果を奏する。
【００１７】
護身する時、力を入れて膝を曲げ、前記第一押出バッグ２２を押し、前記第一油チャンバ２３の中の作動油が前記第一抜き孔１５を通して前記連通チャンバ１７と、前記収納溝１３との中に入って前記護身金属針１４を左へ突き出させ、この時、膝で悪人を押圧すれば良い。
【００１８】
以上により、本発明は構成が簡単で、操作が便利で、本発明を付けてランニングする時、太ももとすねとの間の角度の循環変化を電気エネルギーに転化し、光源に電力を提供し、夜ランニングの時にライトが暗いため、他の車や通行人がランニングする人に気づきにくく、危険の状況が発生することを防止し、それと同時に悪人に襲われる時、力を入れて膝を曲げて金属針を突き出させて護身し、使用者の安全を確保する。
【００１９】
以上に述べたのはただ本発明の具体的な実施方式で、しかし本発明の保護範囲はここに限らないである。全部の創造的な労働を通じなく思いついた変化と取替は本発明の保護範囲にカバーされる。だから本発明の保護範囲は権利要求書が限定される保護範囲を標準とする。
【図１】
2020146417.tif 000003
【図２】
2020146417.tif 000004
【図３】
2020146417.tif 000005
【図４】
2020146417.tif 000006
【図５】
2020146417.tif 000007